(57)【要約】【課題】ダイバーシティ受信を行う受信機を効率的に運用する。【解決手段】入力切換部４ａはベースバンド処理部５ａへの入力を受信部３ａからとするか、受信部３ｂからとするかを切り換え、入力切換部４ｂはベースバンド処理部５ｂへの入力を受信部３ａからとするか、受信部３ｂからとするかを切り換え、受信部３ａ、３ｂは異なる周波数で入力電波を待ち受け、受信部３ａ又は３ｂに第１の入力感度があった場合に、受信部３ｂ又は３ａは第１の入力感度があった周波数と同じ、あるいは同一内容の通信が行われている周波数に同調して受信し、前記第１の入力感度がなかった受信部３ｂ又は３ａは計時部２５によって計測される所定の時間ごとに、前記第１の入力感度があった周波数とは異なる前記待ち受け時の周波数で入力電波を一定時間待ち受け動作し、受信部３ｂ又は３ａに第２の入力感度があった場合に、受信部３ａ、３ｂはそれぞれ異なる周波数の電波を受信する。【選択図】図１
2006333093.tif 000002
【特許請求の範囲】
【請求項１】
同一又は異なる周波数の電波を受信して、それぞれベースバンド信号を出力する第１および第２の受信部と、第１および第２の切換部と、前記ベースバンド信号を処理する第１および第２のベースバンド処理部と、受信時間を計測する計時部と、受信周波数制御部と、を備えた無線通信装置であって、
前記第１の切換部は、前記第１のベースバンド処理部への入力を前記第１の受信部からのベースバンド信号とするか、前記第２の受信部からのベースバンド信号とするかを切り換え、前記第２の切換部は、前記第２のベースバンド処理部への入力を前記第１の受信部からのベースバンド信号とするか、前記第２の受信部からのベースバンド信号とするかを切り換え、
前記第１および第２の受信部は異なる周波数で入力電波を待ち受け、
前記第１または第２の受信部に第１の入力感度があった場合に、前記第１の入力感度がなかった前記第２または第１の受信部は第１の入力感度があった周波数と同じ周波数、あるいは同一内容の通信が行われている周波数に同調して受信し、
前記第１の入力感度がなかった前記第２又は第１の受信部は前記計時部によって計測される所定の時間ごとに、前記第１の入力感度があった周波数とは異なる前記待ち受け時の周波数で入力電波を一定時間待ち受け動作し、
さらに、前記第２または第１の受信部に第２の入力感度があった場合に、前記第１及び第２の受信部はそれぞれ異なる周波数の電波を受信する、
ことを特徴とする無線通信装置。
【請求項２】
ダイバーシティ受信又は２波同時受信を選択する受信モード選択手段を備え、
前記第１及び第２の受信部がそれぞれ異なる周波数の電波を受信又は待ち受けしているときに、前記受信モード選択手段によってダイバーシティ受信が選択された場合に、前記第２又は第１の受信部の一方は、他方の受信部が受信している周波数と同じ周波数、あるいは同一内容の通信が行われている周波数に同調して受信する、
ことを特徴とする請求項１に記載の無線通信装置。
【請求項３】
前記受信モード選択手段によってダイバーシティ受信が選択された場合に、前記第２又は第１の受信部の一方が、他方の受信部が受信している周波数と同じ周波数、あるいは同一内容の通信が行われている周波数に同調する受信を行うことは、ベースバンド処理部の出力をミュートすることである、
ことを特徴とする請求項２に記載の無線通信装置。
【請求項４】
前記第１及び第２の受信部が同じ周波数、あるいは同一内容の通信が行われている周波数の電波を受信しているか、異なる内容の通信が行われている周波数の電波を受信しているかを表示する表示手段を備える、
ことを特徴とする請求項１乃至３のいずれか１項に記載の無線通信装置。
【請求項５】
前記第１又は第２の受信部が受信する受信信号の品位を識別する受信信号識別手段を備え、
前記第１の入力感度の受信信号の品位が所定のしきい値以下になった場合に、前記第１の入力感度がなかった前記第２または第１の受信部は、前記第１の入力感度があった周波数と同じ周波数、あるいは同一内容の通信が行われている周波数に同調して受信する、
ことを特徴とする請求項１に記載の無線通信装置。
【請求項６】
前記第１又は第２の受信部が受信する受信信号の品位を識別する受信信号識別手段を備え、
前記計時部によって計測される所定の時間が２以上設定され、
前記第１の入力感度があった周波数の受信信号品位が所定のしきい値を越えている場合は、前記第１の入力感度がなかった前記第２又は第１の受信部が前記第１の入力感度があった周波数とは異なる前記待ち受け時の周波数で入力電波を待ち受け動作する間隔を短くし、
前記第１の入力感度があった周波数の受信信号品位が所定のしきい値以下の場合は、前記第１の入力感度がなかった前記第２又は第１の受信部が前記第１の入力感度があった周波数とは異なる前記待ち受け時の周波数で入力電波を待ち受け動作する間隔を長くする、
ことを特徴とする請求項１に記載の無線通信装置。
【請求項７】
前記第１の入力感度があった周波数の受信信号品位の変化率に応じて、前記第１の入力感度がなかった前記第２又は第１の受信部が前記第１の入力感度があった周波数とは異なる前記待ち受け時の周波数で入力電波を待ち受け動作する間隔を変更する、
ことを特徴とする請求項６に記載の無線通信装置。
【請求項８】
同一又は異なる周波数の電波を受信して、それぞれベースバンド信号を出力する第１および第２の受信部と、第１および第２の切換部と、前記ベースバンド信号を処理する第１および第２のベースバンド処理部と、受信時間を計測する計時部と、受信周波数制御部と、を備えた無線通信装置の受信方法であって、
前記第１の切換部は、前記第１のベースバンド処理部への入力を前記第１の受信部からのベースバンド信号とするか、前記第２の受信部からのベースバンド信号とするかを切り換え、前記第２の切換部は、前記第２のベースバンド処理部への入力を前記第１の受信部からのベースバンド信号とするか、前記第２の受信部からのベースバンド信号とするかを切り換え、
前記第１および第２の受信部は異なる周波数で入力電波を待ち受け、
前記第１または第２の受信部に第１の入力感度があった場合に、前記第１の入力感度がなかった前記第２または第１の受信部は第１の入力感度があった周波数と同じ周波数、あるいは同一内容の通信が行われている周波数に同調して受信し、
前記第１の入力感度がなかった前記第２又は第１の受信部は前記計時部によって計測される所定の時間ごとに、前記第１の入力感度があった周波数とは異なる前記待ち受け時の周波数で入力電波を待ち受け動作し、
さらに、前記第２または第１の受信部に第２の入力感度があった場合に、前記第１及び第２の受信部はそれぞれ異なる周波数の電波を受信する、
ことを特徴とする無線通信装置の受信方法。
【請求項９】
コンピュータを、同一又は異なる周波数の電波を受信して、それぞれベースバンド信号を出力する第１および第２の受信手段と、第１および第２の切換手段と、前記ベースバンド信号を処理する第１および第２のベースバンド処理手段と、受信時間を計測する計時手段と、受信周波数制御手段と、を備えた無線通信装置として機能させるコンピュータプログラムであって、当該コンピュータを、
前記第１のベースバンド処理部への入力を前記第１の受信部からのベースバンド信号とするか、前記第２の受信部からのベースバンド信号とするかを切り換える第１の切換手段と、
前記第２のベースバンド処理部への入力を前記第１の受信部からのベースバンド信号とするか、前記第２の受信部からのベースバンド信号とするかを切り換える第２の切換手段と、
異なる周波数で入力電波を待ち受ける第１および第２の受信手段であって、
前記第１または第２の受信手段に第１の入力感度があった場合に、前記第１の入力感度がなかった前記第２または第１の受信手段は第１の入力感度があった周波数と同じ周波数、あるいは同一内容の通信が行われている周波数に同調して受信し、
前記第１の入力感度がなかった前記第２又は第１の受信部は前記計時部によって計測される所定の時間ごとに、前記第１の入力感度があった周波数とは異なる前記待ち受け時の周波数で入力電波を一定時間待ち受け動作し、
さらに、前記第２または第１の受信手段に第２の入力感度があった場合に、前記第１及び第２の受信手段はそれぞれ異なる周波数の電波を受信する、
前記第１及び第２の受信手段と、
して機能させるコンピュータプログラム。
【発明の詳細な説明】
【技術分野】
【０００１】
本発明は、ダイバーシティ受信を行う無線通信装置に関する。より詳しくは、空間ダイバーシティ受信、偏波ダイバーシティ受信又は周波数ダイバーシティ受信を行う無線通信装置に関する。
【背景技術】
【０００２】
一般的に、ダイバーシティ受信を行うには、２組の受信機が必要である。また、一部の無線通信装置には、２つの周波数を同時に受信する目的で、２組の受信機を組み込んだものがある。従来の２波受信回路を有する無線通信装置は、その２組の受信機を用いてダイバーシティ受信を行うことができない。また、ダイバーシティ機能を有する無線通信装置では２波同時受信を行うことができなかった。
一方、ＦＭ受信機においては、例えば、特許文献１には、周波数の異なる２つの放送を同時に受信することを可能とし、ただ１つの放送を受信する際は、ダイバーシティ受信装置として、２つの受信部が有効に動作する受信装置を提供する技術が開示されている。すなわち、受信装置において、第１および第２のアンテナ部はそれぞれ第１および第２の受信部に接続され、第２の切換部は第２の受信部のベースバンド信号を第２のベースバンド処理部に導入するか、第１の切換部に導入するかを切り換え、第１の切換部は、第１のベースバンド処理部への入力を第１の受信部からのベースバンド信号とするか、第２の切換部からの出力とするかを切り換え、第１の切換部は第１の判断部の出力信号と切換制御部からの切換信号とで制御され、第１および第２の受信部の同調周波数と第２の切換部は、切換制御部からの切換信号で制御される構成とする。
しかし、ダイバーシティ受信を行っている場合は、周波数の異なる２つの放送を受信することができない。これは、ダイバーシティ受信を行っているときに、第２の通信が発生しても、第２の通信を受信できないことを意味する。
【特許文献１】特開平１０−１３２７７号公報
【発明の開示】
【発明が解決しようとする課題】
【０００３】
本発明は、上記事情に鑑みてなされたものであり、２組の受信機を自動的に、ある時は２波同時受信に用い、ある時はダイバーシティ受信に用いることにより、ダイバーシティ受信を行う受信機を効率的に運用する無線通信装置を提供することを目的とする。
【課題を解決するための手段】
【０００４】
上記目的を達成するため、本発明の第１の観点に係る無線通信装置は、同一又は異なる周波数の電波を受信して、それぞれベースバンド信号を出力する第１および第２の受信部と、第１および第２の切換部と、前記ベースバンド信号を処理する第１および第２のベースバンド処理部と、受信時間を計測する計時部と、受信周波数制御部とを備えた無線通信装置であって、前記第１の切換部は、前記第１のベースバンド処理部への入力を前記第１の受信部からのベースバンド信号とするか、前記第２の受信部からのベースバンド信号とするかを切り換え、前記第２の切換部は、前記第２のベースバンド処理部への入力を前記第１の受信部からのベースバンド信号とするか、前記第２の受信部からのベースバンド信号とするかを切り換え、
前記第１および第２の受信部は異なる周波数で入力電波を待ち受け、
前記第１または第２の受信部に第１の入力感度があった場合に、前記第１の入力感度がなかった前記第２または第１の受信部は第１の入力感度があった周波数と同じ周波数、あるいは同一内容の通信が行われている周波数に同調して受信し、
前記第１の入力感度がなかった前記第２又は第１の受信部は前記計時部によって計測される所定の時間ごとに、前記第１の入力感度があった周波数とは異なる前記待ち受け時の周波数で入力電波を一定時間待ち受け動作し、
さらに、前記第２または第１の受信部に第２の入力感度があった場合に、前記第１及び第２の受信部はそれぞれ異なる周波数の電波を受信することを特徴とする。
【０００５】
前記無線通信装置は、ダイバーシティ受信又は２波同時受信を選択する受信モード選択手段を備え、前記第１及び第２の受信部がそれぞれ異なる周波数の電波を受信又は待ち受けしているときに、前記受信モード選択手段によってダイバーシティ受信が選択された場合に、前記第２又は第１の受信部の一方は、他方の受信部が受信している周波数と同じ周波数、あるいは同一内容の通信が行われている周波数に同調して受信するよう構成してもよい。
【０００６】
前記受信モード選択手段によってダイバーシティ受信が選択された場合に、前記第２又は第１の受信部の一方が、他方の受信部が受信している周波数と同じ周波数、あるいは同一内容の通信が行われている周波数に同調する受信を行うことは、ベースバンド処理部の出力をミュートすることであってもよい。
【０００７】
前記無線通信装置は、前記第１及び第２の受信部が同じ周波数、あるいは同一内容の通信が行われている周波数の電波を受信しているか、異なる内容の通信が行われている周波数の電波を受信しているかを表示する表示手段を備えることが好ましい。
【０００８】
また、前記無線通信装置は、前記第１又は第２の受信部が受信する受信信号の品位を識別する受信信号識別手段を備え、前記第１の入力感度の受信信号の品位が所定のしきい値以下になった場合に、前記第１の入力感度がなかった前記第２または第１の受信部は、前記第１の入力感度があった周波数と同じ周波数、あるいは同一内容の通信が行われている周波数に同調して受信するよう構成してもよい。
【０００９】
さらに、前記無線通信装置は、前記第１又は第２の受信部が受信する受信信号の品位を識別する受信信号識別手段を備え、前記計時部によって計測される所定の時間が２以上設定され、
前記第１の入力感度があった周波数の受信信号品位が所定のしきい値を越えている場合は、前記第１の入力感度がなかった前記第２又は第１の受信部が前記第１の入力感度があった周波数とは異なる前記待ち受け時の周波数で入力電波を待ち受け動作する間隔を短くし、
前記第１の入力感度があった周波数の受信信号品位が所定のしきい値以下の場合は、前記第１の入力感度がなかった前記第２又は第１の受信部が前記第１の入力感度があった周波数とは異なる前記待ち受け時の周波数で入力電波を待ち受け動作する間隔を長くするよう構成してもよい。
【００１０】
さらに、前記第１の入力感度があった周波数の受信信号品位の変化率に応じて、前記第１の入力感度がなかった前記第２又は第１の受信部が前記第１の入力感度があった周波数とは異なる前記待ち受け時の周波数で入力電波を待ち受け動作する間隔を変更するよう構成してもよい。
【００１１】
本発明の第２の観点に係る無線通信装置の受信方法は、同一又は異なる周波数の電波を受信して、それぞれベースバンド信号を出力する第１および第２の受信部と、第１および第２の切換部と、前記ベースバンド信号を処理する第１および第２のベースバンド処理部と、受信時間を計測する計時部と、受信周波数制御部と、を備えた無線通信装置の受信方法であって、
前記第１の切換部は、前記第１のベースバンド処理部への入力を前記第１の受信部からのベースバンド信号とするか、前記第２の受信部からのベースバンド信号とするかを切り換え、前記第２の切換部は、前記第２のベースバンド処理部への入力を前記第１の受信部からのベースバンド信号とするか、前記第２の受信部からのベースバンド信号とするかを切り換え、
前記第１および第２の受信部は異なる周波数で入力電波を待ち受け、
前記第１または第２の受信部に第１の入力感度があった場合に、前記第１の入力感度がなかった前記第２または第１の受信部は第１の入力感度があった周波数と同じ周波数、あるいは同一内容の通信が行われている周波数に同調して受信し、
前記第１の入力感度がなかった前記第２又は第１の受信部は前記計時部によって計測される所定の時間ごとに、前記第１の入力感度があった周波数とは異なる前記待ち受け時の周波数で入力電波を待ち受け動作し、
さらに、前記第２または第１の受信部に第２の入力感度があった場合に、前記第１及び第２の受信部はそれぞれ異なる周波数の電波を受信することを特徴とする。
【００１２】
本発明の第３の観点に係るコンピュータプログラムは、コンピュータを、同一又は異なる周波数の電波を受信して、それぞれベースバンド信号を出力する第１および第２の受信手段と、第１および第２の切換手段と、前記ベースバンド信号を処理する第１および第２のベースバンド処理手段と、受信時間を計測する計時手段と、受信周波数制御手段とを備えた無線通信装置として機能させるコンピュータプログラムであって、当該コンピュータを
前記第１のベースバンド処理手段への入力を前記第１の受信部からのベースバンド信号とするか、前記第２の受信部からのベースバンド信号とするかを切り換える第１の切換手段と、
前記第２のベースバンド処理手段への入力を前記第１の受信部からのベースバンド信号とするか、前記第２の受信部からのベースバンド信号とするかを切り換える第２の切換手段と、
異なる周波数で入力電波を待ち受ける第１および第２の受信手段であって、
前記第１または第２の受信手段に第１の入力感度があった場合に、前記第１の入力感度がなかった前記第２または第１の受信手段は第１の入力感度があった周波数と同じ周波数、あるいは同一内容の通信が行われている周波数に同調して受信し、
前記第１の入力感度がなかった前記第２又は第１の受信部は前記計時部によって計測される所定の時間ごとに、前記第１の入力感度があった周波数とは異なる前記待ち受け時の周波数で入力電波を一定時間待ち受け動作し、
さらに、前記第２または第１の受信手段に第２の入力感度があった場合に、前記第１及び第２の受信手段はそれぞれ異なる周波数の電波を受信する
前記第１及び第２の受信手段と、
して機能させることを特徴とする。
【発明の効果】
【００１３】
本発明によれば、定期的にダイバーシティ受信から２波同時受信に切り換えるので、１波をダイバーシティ受信中でも、もう１波の待ち受け受信を可能とし、２組の受信部を有効に活用できる。
【発明を実施するための最良の形態】
【００１４】
本発明の実施の形態について、図１乃至図６により説明する。図１は、本発明の一実施形態である無線通信装置３０の構成を示すブロック図である。無線通信装置３０は、１組の送信機能と２組の受信機能を備えて構成される。
【００１５】
無線通信装置３０は、送信機として機能する場合、無線通信装置３０を使用するユーザの通話音に基づく音声信号、又はデータ通信用のデータ信号を相手方の受信機に向かって送信する。一方、無線通信装置３０は、受信機として機能する場合、無線通信装置３０に送信された通話音に基づく音声信号を受信し、又は相手機である他の無線通信装置３０より送信されたデータ通信用のデータ信号を受信する。
【００１６】
無線通信装置３０は、図１に示すように、受信機能を実現するために、アンテナ１ａ、１ｂと、送受信切換部２と受信部３ａ、３ｂと、入力切換部４ａ、４ｂと、ベースバンド処理部５ａ、５ｂと、ミュート回路６ａ、６ｂと、Ｄ／Ａ変換及び増幅器（以下、Ｄ／Ａ変換部という）７ａ、７ｂと、スピーカ８ａ、８ｂとを備えている。無線通信装置３０はまた、送信機能を実現するために、マイク１１と、増幅及びＡ／Ｄ変換器（以下、Ａ／Ｄ変換部という）１２と、ベースバンド処理部１３と、送信部１４とを備えている。
【００１７】
無線通信装置３０はさらに、受信信号の品位を識別する品位識別部１５、各部の制御を行うコントローラ２０、受信時間を計測する計時部２５、受信モードなどを表示する表示部２６、及び受信モードなどの設定を入力する操作部２７を備える。
【００１８】
コントローラ２０は、無線通信装置３０の動作の制御を行う。コントローラ２０は例えば、ＣＰＵ（中央処理装置）２１、Ｉ／Ｏ（入出力装置）２２、ＲＯＭ（読み出し専用メモリ）２４、ＲＡＭ（読み書き可能メモリ）２３、及びそれらを接続する内部バス（図示せず）を備えて構成される。
【００１９】
コントローラ２０には受信モードの切換タイミングを計るための計時部２５、表示部２６、操作部２７がＩ／Ｏ２２を介して接続されている。図１の複雑化を避け、理解を容易にするために、コントローラ２０から各部への信号線が省略されているが、コントローラ２０は送受信切換部２、受信部３ａ、３ｂ、入力切換部４ａ、４ｂ、ベースバンド処理部５ａ、５ｂ、１３、ミュート回路６ａ、６ｂ、Ｄ／Ａ変換部７ａ、７ｂ、Ａ／Ｄ変換部１２、送信部１４、品位識別部１５にＩ／Ｏ２２を介して接続しており、それらの処理の開始、終了、処理内容の制御を行う。
【００２０】
コントローラ２０が無線通信装置３０の動作を制御するための制御プログラムは、ＲＯＭ２４に格納されている。そして、無線通信装置３０が送信機として用いられる場合、コントローラ２０は、無線通信装置３０が送信機として機能するよう制御する。また、ベースバンド処理部１３がデータ通信用のデータを送信部１４に出力する動作は、コントローラ２０の制御の下に行われる。
【００２１】
コントローラ２０のＲＡＭ２３には、無線通信装置３０が送信する通信フレームを生成するためのデータが記憶される。例えば、ＲＡＭ２３は、通信フレームのヘッダ部を構成するためのデータである、自局側識別情報及び相手局側識別情報を記憶する。
【００２２】
また、コントローラ２０には、例えばＵＳＢ（Universal Serial Bus（ユニバーサルシリアルバス））インターフェースが接続されており、ＵＳＢインターフェースに接続される外部機器のデータがコントローラ２０に入力される。ＵＳＢインターフェースに外部機器としてパソコンを接続し、このパソコンにより無線通信装置３０を制御することもできる。
【００２３】
計時部２５は、例えば、クロックパルスによってカウンタ値を減算し、カウンタの値が０になったときに割り込み出力を発生する、減算カウンタを用いることができる。カウンタにある値をセットすると、セットした数のクロックパルスをカウントして、ＣＰＵ２１に割り込みをかけることによって、一定の時間を計測することができる。
【００２４】
表示部２６は、ＣＲＴ（Cathode Ray Tube）、ＬＣＤ（Liquid Crystal Display）又はＬＥＤ（Light Emission Diode）などから構成され、無線通信装置３０がダイバーシティ受信か２波受信かの受信モード、及び無線通信装置３０のその他の情報を表示する。
【００２５】
操作部２７は、無線通信装置３０の動作についての条件情報を入力するための入力手段にあたる。操作部２７には各種の操作キーが設けられている。すなわち、ユーザが、無線通信装置３０の操作部２７の操作キーを操作して動作条件を入力することにより、その入力に基づく動作を無線通信装置３０に行わせることができる。
【００２６】
操作部２７に対する操作の内容は、コントローラ２０により検出される。すなわち、コントローラ２０は、操作された操作キーの種類や、操作キーに対する操作の内容を検出する。そして、操作キーによって入力された内容を判別する。そして、コントローラ２０は、操作部２７により入力された内容に応じた動作を行うように、無線通信装置３０を制御する。
【００２７】
なお、操作キーの操作の内容によっては、その操作によって入力された内容が表示部２６に表示される。例えば、操作部２７により、受信モードを１波のダイバーシティ受信に設定された場合、又は２波受信が設定された場合、操作部２７により設定されたそれらの受信モードが表示部２６に表示される。また、表示部２６には、ユーザに対する無線通信装置３０の動作状態の報知や、ユーザに対する操作部２７による入力を促すメッセージ等が表示される。
【００２８】
無線通信装置３０が、送信機として機能する場合のブロックについて説明する。無線通信装置３０のユーザによる通話音はマイク１１により音声信号に変換され、この音声信号は増幅器に入力される。増幅器に入力された音声信号は、増幅器により増幅された後、音声Ａ／Ｄ変換によりディジタル信号に変換される。ディジタル変換された信号はベースバンド処理部１３に入力される。ベースバンド処理部１３では、ディジタルデータを送信フレームに組み立てて送信部１４に出力する。
【００２９】
送信部１４は、入力された信号を変調する変調機能を備える。この無線通信装置３０の例では、送信部１４が信号を変調する方式として、ＧＭＳＫ（Gaussian filtered Minimum Shift Keying）、ＰＳＫ（Phase Shift Keying）、ＱＡＭ（Quadrature Amplitude Modulation）などが用いられる。音声がディジタル変換されず、アナログ信号のまま送信される場合は、Ａ／Ｄ変換は行われず、変調方式として例えば、振幅変調（Amplitude Modulation）、周波数変調（Frequency Modulation）、位相変調などが用いられる。送信部１４は、入力された音声信号及びデータ信号を、これらの変調方式により変調する処理を行う。
【００３０】
送信部１４は、前記変調する処理を行った信号を、送受信切換部２に出力する。送受信切換部２は、無線通信装置３０が送信機として機能する場合、送信部１４より入力された信号をアンテナ１ａに導く回路が形成される。そして、送受信切換部２に入力された信号は、アンテナ１ａに出力され、アンテナ１ａより無線通信装置３０の相手方となる受信機へ送信される。
【００３１】
ベースバンド処理部１３は、通信プロトコルを実行するために、種々の制御信号を組み立てる。ベースバンド処理部１３の動作や送信部１４の送信の開始、終了、周波数の選択などは、コントローラ２０の制御によって行われる。
【００３２】
次に、無線通信装置３０が受信機として機能する場合のブロックについて説明する。受信機としての無線通信装置３０には、相手方の送信機より通話音の音声信号又はデータ通信用のデータ信号が送信される。無線通信装置３０に送信される信号は、通信フレームを構成している。
【００３３】
アンテナ１ａ、１ｂは、無線通信装置３０に送信された無線信号を受信する。アンテナ１ａ、１ｂが受信した無線信号は、送受信切換部２及び受信部３ｂに入力される。送受信切換部２は、無線通信装置３０が受信機として機能する場合、アンテナ１ａが受信した信号を受信部３ａに導く回路が形成される。
【００３４】
受信部３ａ、３ｂは、特定の周波数の電波を選択して受信するチューニング機能を備えている。受信部３ａ、３ｂには、受信する無線信号の周波数帯域がコントローラ２０によって設定される。そして、受信部３ａ、３ｂに設定された周波数のチャンネルの受信信号がアンテナ１ａより送受信切換部２を通って受信部３ａに、そしてアンテナ１ｂより３ｂに入力される。受信部３ａと３ｂは、同じ周波数の電波を受信する場合と、異なる周波数の電波を受信する場合がある。
【００３５】
ダイバーシティ受信とは、複数のアンテナで受信した同一の無線信号について、電波状況の優れた（品位の高い）アンテナの信号を優先的に用いる技術、あるいは、受信した信号を合成し、ノイズを除去する技術である。一般に、ダイバーシティ受信には空間ダイバーシティ、偏波ダイバーシティ、周波数ダイバーシティ、時間ダイバーシティがある。空間ダイバーシティ及び偏波ダイバーシティでは、送信機は１つの送信電波で１つの送信内容を送信する。周波数ダイバーシティでは、送信機は２つの周波数で同じ内容を同時に送信する。時間ダイバーシティでは、送信機は同じ周波数で同じ内容を時間をずらして複数回送信する。
【００３６】
無線通信装置３０が空間ダイバーシティ受信又は偏波ダイバーシティ受信を行う場合は、受信部３ａと３ｂは同じ周波数の電波を受信する。周波数ダイバーシティを行う場合は、受信部３ａと３ｂはそれぞれ周波数ダイバーシティの対になった異なる周波数の電波を受信する。本実施の形態は、空間ダイバーシティ、偏波ダイバーシティ又は周波数ダイバーシティを対象としている。周波数ダイバーシティの場合は、無線通信装置３０がダイバーシティ受信を行う場合でも、受信部３ａと３ｂは同じ通信内容で異なる周波数の電波を受信する。なお、周波数ダイバーシティの場合は、アンテナ１ａと１ｂは１つで共用することができる。
【００３７】
受信部３ａ、３ｂは、入力された受信信号を復調する復調機能を備えている。通常、送信と受信は同じ変調方式が用いられるので、受信部３ａ、３ｂでは前述の送信部１４の変調方式と同じ変調方式で復調が行われる。復調されたベースバンド信号は入力切換部４ａ、４ｂを経て、ベースバンド処理部５ａ、５ｂに入力される。
【００３８】
入力切換部４ａは、ベースバンド処理部５ａへの入力が、受信部３ａからのベースバンド信号とするか、受信部３ｂからのベースバンド信号とするかを切り換える。入力切換部４ｂは、ベースバンド処理部５ｂへの入力が、受信部３ａからのベースバンド信号とするか、受信部３ｂからのベースバンド信号とするかを切り換える。
【００３９】
受信部３ａ、３ｂで検波された信号は品位識別部１５に入力される。品位識別部１５では、受信部３ａ、３ｂそれぞれの受信信号強度を比較し、どちらの受信部３ａ、３ｂの信号強度が強いか、また、しきい値と比べて大きいか小さいかをコントローラ２０に出力する。本実施の形態では、品位識別部１５で受信信号強度を比較するが、受信電波の品位として受信信号の誤り率、又は誤り率の移動平均などを採用してもよい。
【００４０】
ダイバーシティ受信の場合は、品位識別部１５の出力に応じたコントローラ２０の制御によって、受信部３ａ及び３ｂの受信信号の品位の高い方が入力切換部４ａ又は４ｂで選択されて、ベースバンド処理部５ａ又は５ｂに入力される。ダイバーシティ受信の場合は、ベースバンド処理部５ａ又は５ｂのいずれか一方が動作する。
【００４１】
そして、受信信号のデータ部に含まれるデータのうち、音声フレームに含まれる音声データはミュート回路６ａ、６ｂを経てＤ／Ａ変換部７ａ、７ｂに入力され、データフレームに含まれるデータ通信用のデータは、コントローラ２０に入力される。
【００４２】
Ｄ／Ａ変換部７ａ、７ｂは、ディジタルの音声信号が受信部３ａ、３ｂより入力されると、コントローラ２０の制御の下、入力されたディジタルの音声信号をアナログの音声信号に変換して増幅し、スピーカ８ａ、８ｂに出力する。ミュート回路６ａ、６ｂは、コントローラ２０の指令によって、音声出力を停止又は再開する。ミュート回路６ａ、６ｂによって、通信状態を保持したまま瞬時に音声出力を停止又は再開することができる。図１では、ミュート回路６ａ、６ｂがベースバンド処理部５ａ、５ｂとＤ／Ａ変換部７ａ、７ｂとの間に設置されているが、ミュート回路６ａ、６ｂをＤ／Ａ変換部７ａ、７ｂの増幅器内、又は出力側に設置してもよい。なお、音声がアナログ信号として通信される場合は、受信信号はＤ／Ａ変換されず、ベースバンド信号が増幅されてスピーカ８ａ、８ｂに出力される。
【００４３】
コントローラ２０は、前述のごとくＣＰＵ２１、ＲＯＭ２４、及びＲＡＭ２３を備えている。そして、コントローラ２０が無線通信装置３０を受信機として機能させる制御を行うための制御プログラムは、ＲＯＭ２４に格納されている。
【００４４】
次に、図１に示す無線通信装置３０の動作を、図２を参照して説明する。なお、上述のように、無線通信装置３０の動作は、コントローラ２０のＣＰＵ２１が、Ｉ／Ｏ２２、ＲＡＭ２３、ＲＯＭ２４、計時部２５、表示部２６、及び操作部２７と協働して行う。本実施の形態では、受信部３ａと３ｂは対称であって、いずれの受信部に先に入力感度（又は着信）があっても対称的な動作を行う。以下の説明では理解を容易にするため、第１の入力感度（又は着信）が受信部３ａにあったものとし、第２の入力感度（又は着信）が受信部３ｂに発生するとしている。
【００４５】
図２は、本発明の実施の形態に係る無線通信装置３０において、ダイバーシティ受信と２波受信を切換える動作の一例を示すフローチャートである。
【００４６】
無線通信装置３０が通信を行っていない状態では、受信部３ａと３ｂはそれぞれ異なる周波数の電波（通信チャネル）を待ち受ける状態である（ステップＡ１、ステップＡ２；ＮＯ）。その状態で、いずれかの受信部、例えば受信部３ａに入力感度があると（ステップＡ２；ＹＥＳ）、その周波数の電波のダイバーシティ受信を行う（ステップＡ３）。すなわち、コントローラ２０のＣＰＵ２１は、受信部３ｂに受信部３ａと同じ周波数の電波（周波数ダイバーシティの場合は同じ内容の通信が行われている対になる周波数の電波。以下同じ）を受信するように指令する。そして、品位識別部１５における受信部３ａと３ｂとの受信信号強度の比較結果に従って、受信信号強度が大きい方のベースバンド信号をベースバンド処理部５ａに入力するように、入力切換部４ａを制御する。コントローラ２０のＣＰＵ２１は、受信部３ａで待ち受けていた周波数での通信をダイバーシティ受信していることを、表示部２６に表示する。そして、ダイバーシティ受信開始と同時に、所定時間の経過を計測するように計時部２５にセットする。
【００４７】
所定時間が経過する前（ステップＡ５；ＮＯ）に通信が終了すれば（ステップＡ４；ＹＥＳ）、初期の２波待ち受け状態（ステップＡ１）に戻る。通信を継続して（ステップＡ４；ＮＯ）、所定時間が経過すると（ステップＡ５；ＹＥＳ）、一定の時間、受信部３ｂで待ち受け時の周波数の電波の受信を試みる（ステップＡ６）。同時に、ベースバンド処理部５ａの入力を受信部３ａのベースバンド信号とする。このとき、ダイバーシティ受信によって、受信部３ｂのベースバンド信号がベースバンド処理部５ａに入力されていた場合は、受信部３ａで第２の周波数の電波の受信を行ってもよい。一方の受信部で受信（１波受信）しながら、他方の受信部で待ち受け動作する一定時間は、最低限、入力感度を検出できる時間である。ディジタル無線の場合は、同期バーストを検出できる時間より長くする。
【００４８】
一定時間、第２の電波の待ち受け動作を行っても、入力感度がない（着信がない）場合は（ステップＡ７；ＮＯ）、第１の電波のダイバーシティ受信状態（ステップＡ３）に戻り、所定時間の経過を繰り返す。第２の電波の入力感度が検出された（着信した）場合は（ステップＡ７；ＹＥＳ）、その状態で２波受信を行う（ステップＡ８、ステップＡ９；ＮＯ）。すなわち、受信部３ｂのベースバンド信号をベースバンド処理部５ｂに入力する。コントローラ２０のＣＰＵ２１は、２波で受信していることを、表示部２６に表示する。さらに、受信部３ａ、３ｂそれぞれで受信している周波数（通信チャネル）を表示部２６に表示してもよい。前述した、受信部３ａで第２の周波数の受信を行った場合は、受信部３ａのベースバンド信号をベースバンド処理部５ｂに、受信部３ｂのベースバンド信号をベースバンド処理部５ａに入力する。
【００４９】
２つの周波数で同時に通信を行う場合、例えば、第２の周波数の音声をモニターしながら、第１の周波数で通話を行うことができる。送信部１４を第１と第２の周波数で切り換えて、第１と第２の周波数で交互に通話を行うこともできる。あるいは、第１の周波数で通話を行いながら、第２の周波数でデータ通信（受信）を行うことができる。無線通信装置３０に送信機能をもう１組備えて、２通話を同時に行ったり、第２の周波数で双方向のデータ通信を同時に行うように構成してもよい。
【００５０】
第１の周波数又は第２の周波数のいずれかの通信が終了した場合は（ステップＡ９；ＹＥＳ）、受信部３ａ、３ｂともに通信を継続している周波数の電波を受信し、ダイバーシティ受信を行う（ステップＡ３）。
【００５１】
こうして、１波のダイバーシティ受信から、第２の電波の入力感度があったときに、自動的に２波受信に移行することができる。また、２波受信から１波の通信が終了した場合は、残りの１波のダイバーシティ受信に自動的に移行することができる。その結果、２組の受信部を有効に活用できる。
【００５２】
図３は、本発明の実施の形態において、手動でダイバーシティ受信と２波受信とを切り換える場合の動作の一例を示すフローチャートである。図３（ａ）はダイバーシティ受信と２波同時受信の切換動作を表し、図３（ｂ）は１波受信と、２波受信のモード切換設定の動作を表す。
【００５３】
図３（ａ）において、通信モードを判定してダイバーシティ受信を行うか２波受信を行うかを決定する以外は、図２のダイバーシティ受信と２波同時受信の自動切換と同じである。すなわち、図３のステップＢ１〜Ｂ４は図２のステップＡ１〜Ａ４と同じであり、図３のステップＢ６〜Ｂ９は図２のステップＡ５〜Ａ８に相当し、また、図３のステップＢ１１は図２のステップＡ９と同等である。図３（ｂ）に示す通信モード切換は受信とは独立に行われる。操作部２７において、通信モード設定が入力されると（ステップＢ２０）、コントローラ２０のＣＰＵ２１は、入力された通信モードがダイバーシティ受信のみを行う１波モードか、第２の電波の入力感度があったときに２波受信を行う２波モードかを判定する（ステップＢ２１）。通信モードがダイバーシティ受信のみを行う設定の場合は（ステップＢ２１；１波）、１波モードに設定し（ステップＢ２２）、第２の電波の入力感度があったときに２波受信を行う設定である場合は（ステップＢ２１；２波）、２波モードに設定する（ステップＢ２３）。同時に、表示部２６に１波モードか２波モードかを表示する。１波モード又は２波モードに設定するとは、ＲＡＭ２３に記憶されている通信モード変数を予め決められた値、例えば０又は１に書き換えることである。ダイバーシティ受信と２波同時受信の切換では、通信モード変数を参照して、どちらの通信モードであるかを判定する。
【００５４】
図３（ａ）に示すダイバーシティ受信と２波同時受信の切換においては、ダイバーシティ受信を行っている時（ステップＢ３）に、１波モードであるかどうかを判定し（ステップＢ５）、１波モードである場合は（ステップＢ５；ＹＥＳ）、所定時間経過を判断することなくダイバーシティ受信を継続する（ステップＢ３）。したがって、第２の周波数の受信を行うことはない。
【００５５】
通信モードが２波モードである場合（ステップＢ５；ＮＯ）は、図２の場合と同様、所定時間が経過したときに（ステップＢ６；ＹＥＳ）、一定時間２波を受信する（ステップＢ７）。ここで、１波モードを擬似的に行うために、一定時間２波受信しているときに、第２の周波数の待ち受け（受信）の出力をミュートすることによって行ってもよい。すなわち、１波モードの場合、ミュート回路６ｂで第２の周波数の信号出力をミュートする。待ち受け時の雑音がスピーカ８ｂから聞こえないので、ユーザは第１の周波数の通信に集中することができる。
【００５６】
２波受信を行っているときに、１波モードに切り換えられる場合もあり得る。２波受信を行っているときに（ステップＢ９）、１波モードになったかどうかを判定し（ステップＢ１０）、１波モードである場合は（ステップＢ１０；ＹＥＳ）、指定された周波数の通信のダイバーシティ受信に移行する（ステップＢ３）。２波モードである場合は（ステップＢ１０；ＮＯ）、２波受信を継続する（ステップＢ９、ステップＢ１１；ＮＯ）。第１の周波数又は第２の周波数のいずれかの通信が終了した場合は（ステップＢ１１；ＹＥＳ）、受信部３ａ、３ｂともに通信を継続している周波数の電波を受信し、ダイバーシティ受信を行う（ステップＢ３）。このようにして、手動で１波のダイバーシティ受信と２波受信を切り換えることができる。
【００５７】
次に、受信信号の品位によってダイバーシティ受信を行うか否かを決定する場合の動作を説明する。図４は、本発明の実施の形態において、受信信号の品位を識別してダイバーシティ受信を行う場合の動作の一例を示すフローチャートである。図４の動作では、２波待ち受けから、１波の受信があったときに、無条件にダイバーシティ受信に移行するのではなく、受信している信号の品位が所定のしきい値以下になった場合に、ダイバーシティ受信を行う。
【００５８】
図４において、２波待ち受け状態（ステップＣ１、ステップＣ２；ＮＯ）から、いずれかの受信部、例えば受信部３ａに入力感度があると（ステップＣ２；ＹＥＳ）、その周波数の電波の通話（１波受信）を行う（ステップＣ３）。すなわち、コントローラ２０のＣＰＵ２１は、入力切換部４ａにベースバンド処理部５ａへの入力を受信部３ａからのベースバンド信号とするように指令する。そして、品位識別部１５において受信信号の強度と所定のしきい値とを比較する（ステップＣ４）。受信信号の強度が所定のしきい値を越えている間は（ステップＣ４；ＹＥＳ）、受信部３ａのみで通信電波を受信する（ステップＣ３）。受信部３ｂは異なる周波数の電波を待ち受ける状態である。
【００５９】
受信信号の強度が所定のしきい値以下になった場合は（ステップＣ４；ＮＯ）、ダイバーシティ受信を行う（ステップＣ５）。すなわち、受信部３ｂも受信部３ａと同じ周波数の電波を受信するように指令する。そして、品位識別部１５における受信部３ａと３ｂとの受信信号強度の比較結果に従って、受信信号強度が大きい方のベースバンド信号をベースバンド処理部５ａに入力するように、入力切換部４ａを制御する。コントローラ２０のＣＰＵ２１は、受信部３ａで待ち受けていた周波数での通信をダイバーシティ受信していることを、表示部２６に表示する。そして、ダイバーシティ受信開始と同時に、所定時間の経過を計測するように計時部２５にセットする。その後の動作は図２と同様である。
【００６０】
図４には記載していないが、ダイバーシティ受信を行っている間に、受信信号の品位が所定のしきい値を超えた場合には、ダイバーシティ受信を中止して、受信部３ａ（又は受信部３ｂ）のみで受信を行ってもよい。その場合、受信部３ｂ（又は受信部３ａ）は常時第２の周波数の電波を待ち受けるので、第２の周波数の入力感度があった（着信があった）場合に、早く応答できることになる。
【００６１】
以上のように、受信信号の品位に従ってダイバーシティ受信を行うか否かを決定することによって、過剰なダイバーシティ受信動作を控え、２波の受信の応答を早く行うことができる。
【００６２】
次に、ダイバーシティ受信と第２の周波数の電波を待ち受ける周期を変更する方法について説明する。図５は、本発明の実施の形態において、受信信号の品位に応じて第２の周波数の電波を待ち受ける時間間隔を変更する場合の動作の一例を示すフローチャートである。図５において、ダイバーシティ受信を行って、所定時間の経過を判断するまでは、図２の動作と同様である（ステップＤ１〜Ｄ５）。ダイバーシティ受信を行っている間に、品位識別部１５において、受信信号の強度の平均が所定のしきい値を超えているか否かを判定する（ステップＤ６）。実際には、コントローラ２０のＣＰＵ２１が品位識別部１５から受信信号の強度を一定周期で読み込み、所定時間の間の平均をとって、所定のしきい値と比較する。
【００６３】
受信信号強度の平均がしきい値を超えていれば（ステップＤ６；ＹＥＳ）、ダイバーシティ受信を中断して第２の周波数の電波の待ち受けを行う間隔（所定時間）を短く設定する（ステップＤ７）。受信信号強度の平均がしきい値以下であれば（ステップＤ６；ＮＯ）、第２の周波数の電波の待ち受けを行う間隔（所定時間）を長く設定する（ステップＤ８）。すなわち、次の所定時間を計るために、計時部２５にセットする長さを受信信号強度に応じて変更する。図５のステップＤ９からＤ１２は、図２のステップＡ６からＡ９と同様である。
【００６４】
受信信号の品位を比較するしきい値を２つ以上にして、ダイバーシティ受信を中断して第２の周波数の電波の待ち受けを行う間隔（所定時間）を３つ以上に設定することも可能である。
【００６５】
以上のように、受信信号の品位に応じて第２の周波数の電波を待ち受ける周期を変更することによって、受信信号が良好である場合には、第２の周波数の応答を早くし、受信信号が良好でない場合には、ダイバーシティ受信を長く行って通話品質を保つことができる。
【００６６】
さらに、ダイバーシティ受信と第２の周波数の電波を待ち受ける周期を、受信信号の品位の変化率によって変更してもよい。図６は、本発明の実施の形態において、受信信号の品位の変化率に応じて第２の周波数の電波を待ち受ける時間間隔を変更する場合の動作の一例を示すフローチャートである。図６において、ダイバーシティ受信を行って、所定時間の経過を判断するまでは、図２又は図５の動作と同様である（ステップＥ１〜Ｅ５）。ダイバーシティ受信を行っている間に、品位識別部１５において、受信信号の強度の変化率が正（すなわち、受信信号の品位がよくなる方向）か負（すなわち、受信信号の品位が劣化する方向）か、または変化していないかを判定する（ステップＥ６）。実際には、例えばコントローラ２０のＣＰＵ２１が品位識別部１５から受信信号の強度を一定周期で読み込み、所定時間の間の差分の平均をとって、０との大小を比較する。
【００６７】
受信信号強度の変化率が正（受信信号の品位がよくなる方向）であれば（ステップＥ６；＞０）、ダイバーシティ受信を中断して第２の周波数の電波を待ち受ける間隔（所定時間）を短く設定する（ステップＥ７）。受信信号強度の変化率が負（受信信号の品位が劣化する方向）であれば（ステップＥ６；＜０）、第２の周波数の電波を待ち受ける間隔（所定時間）を長く設定する（ステップＥ８）。受信信号強度が変化していなければ（ステップＥ６；＝０）所定時間を変更しない。すなわち、次の所定時間を計るために、計時部２５にセットする長さを受信信号強度に応じて変更する。図６のステップＥ９からＥ１２は、図２のステップＡ６からＡ９と同様である。
【００６８】
ダイバーシティ受信を中断して第２の周波数の電波を待ち受ける間隔（所定時間）を３つ以上に設定して、受信信号強度の変化率によって、階段状に所定時間を変更することもできる。また、受信信号強度の変化率のしきい値を複数設けて、変化率の絶対値が大きい場合は、所定時間を一度に２段階以上変化させてもよい。所定時間と変化率のしきい値は、無線通信の特性、例えば、移動体通信であるかどうか、フェージングの状況などに応じて適宜設定することができる。図３の１波モードは、ダイバーシティ受信を中断して第２の周波数の電波を待ち受ける間隔（所定時間）が無限大であり、常に２波同時受信状態は所定時間が０の特殊な場合と考えられる。
【００６９】
以上のように、受信信号の品位の変化率に応じて第２の周波数の電波を待ち受ける周期を変更することによって、受信信号が良好である場合には、第２の周波数の応答を早くし、受信信号が良好でない場合には、ダイバーシティ受信を長く行って通話品質を保つことができる。また、きめ細かい動作が可能である。
【００７０】
以上述べたように、本発明によれば定期的にダイバーシティ受信から２波同時受信に切り換えるので、１波をダイバーシティ受信中でも、もう１波の待ち受け受信を可能とし、２組の受信部を有効に活用できる。また、ダイバーシティ受信を行っているか２波受信を行っているかを表示し、ユーザは手動で１波のダイバーシティ受信と２波受信を切り換える方法を提供できる。そして、受信信号の品位に従ってダイバーシティ受信を行うか否かを決定することによって、過剰なダイバーシティ受信動作を控え、２波の受信の応答を早く行うことができる。さらに、受信信号の品位に応じて第２の周波数の電波を待ち受ける周期を変更することによって、受信信号が良好である場合には、第２の周波数の応答を早くし、受信信号が良好でない場合には、ダイバーシティ受信を長く行って通話品質を保つことができる。受信信号の品位の変化率を用いることによって、きめ細かい動作が可能である。
【００７１】
その他、前記のハードウエア構成やフローチャートは一例であり、任意に変更及び修正が可能である。
【００７２】
無線通信装置３０のコントローラ２０は、専用のシステムによらず、通常のコンピュータシステムを用いて実現可能である。例えば、前記の動作を実行するためのコンピュータプログラムを、コンピュータが読みとり可能な記録媒体（フレキシブルディスク、CD-ROM、DVD-ROM等）に格納して配布し、当該コンピュータプログラムをコンピュータにインストールすることにより、前記の処理を実行する装置を構成してもよい。また、インターネット等の通信ネットワーク上のサーバ装置が有する記憶装置に当該コンピュータプログラムを格納しておき、通常のコンピュータシステムがダウンロード等することで本発明の無線通信装置３０を構成してもよい。
【００７３】
また、前記の各機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００７４】
また、搬送波に上述のコンピュータプログラムを重畳し、通信ネットワークを介して配信することも可能である。
【図面の簡単な説明】
【００７５】
【図１】本発明の実施の形態に係る無線通信装置の構成を示すブロック図である。
【図２】本発明の実施の形態に係る無線通信装置の動作の一例を示すフローチャートである。
【図３】本発明の実施の形態において、手動でダイバーシティ受信と２波受信とを切り換える場合の動作の一例を示すフローチャートである。
【図４】本発明の実施の形態において、受信信号の品位を識別してダイバーシティ受信を行う場合の動作の一例を示すフローチャートである。
【図５】本発明の実施の形態において、受信信号の品位に応じて第２の周波数の電波を待ち受ける時間間隔を変更する場合の動作の一例を示すフローチャートである。
【図６】本発明の実施の形態において、受信信号の品位の変化率に応じて第２の周波数の電波を待ち受ける時間間隔を変更する場合の動作の一例を示すフローチャートである。
【符号の説明】
【００７６】
３ａ、３ｂ  受信部
４ａ、４ｂ  入力切換部
５ａ、５ｂ  ベースバンド処理部
６ａ、６ｂ  ミュート回路
２０  コントローラ
２１  ＣＰＵ
２２  Ｉ／Ｏ
２３  ＲＡＭ
２４  ＲＯＭ
２５  計時部
２６  表示部
２７  操作部
３０  無線通信装置
【図１】
2006333093.tif 000003
【図２】
2006333093.tif 000004
【図３】
2006333093.tif 000005
【図４】
2006333093.tif 000006
【図５】
2006333093.tif 000007
【図６】
2006333093.tif 000008